(57)【特許請求の範囲】
【請求項１】
入射光の入射角度に依存して出射光の拡散性が変化する異方性を有する光拡散体において、
入射光の入射角度に依存せずに出射光が拡散するように作用する凹凸構造を、前記光拡散体の少なくとも一方の表面に形成したことを特徴とする光拡散体。
【請求項２】
前記凹凸構造が、光拡散体の出射光側に形成されることを特徴とする請求項１記載の光拡散体。
【請求項３】
前記凹凸構造が、光拡散体の入射光側に形成されることを特徴とする請求項１記載の光拡散体。
【請求項４】
前記凹凸構造が、ヘーズ値６０以下の拡散を示すことを特徴とする請求項１〜３の何れかに記載の光拡散体。
【請求項５】
前記凹凸構造の深さが、５μｍ以上であることを特徴とする請求項１〜４の何れかに記載の光拡散体。
【請求項６】
請求項１〜５の何れかに記載の光拡散体を、画像表示素子の観察側に配置したことを特徴とする表示装置。
【発明の詳細な説明】
【０００１】
【発明の属する技術分野】
本発明は、光拡散体およびこの光拡散体を用いた表示装置に係り、更に詳しくは、拡散光が黄色味を帯びることなく、かつ明るい表示画面を実現することができる光拡散体およびその光拡散体を適用した表示装置に関する。
表示画像の視域を制御する光拡散体が適用される表示装置としては、液晶表示装置（反射型／透過型）が代表的であるが、本発明はそれに限るものではなく、自己発光型の画像表示素子を有する表示装置にも適用することが可能である。
以降は、主として反射型液晶表示装置の場合について説明する。
【０００２】
【従来の技術】
従来、反射型の液晶表示装置において、広い視域を実現するために、画像表示素子である液晶パネル表面に光拡散体が用いられている（特開平１１−２３７５０２号公報）。
これら光拡散体は一般に、どの方向の入射光に対しても同じように拡散する等方性のものであるために、液晶表示装置の再生時に、光が入射する際と出射する際の２度に渡って光が拡散するため、特に高精細な表示画像を視覚するにあたり、像のボケやコントラストの低下が目立ち問題となっていた。
【０００３】
そこで、特開平１１−３５２４７０号公報に開示されているように、液晶表示装置の観察側に、フロントディフューザと称して、特定範囲の入射角度での入射光のみに対して光拡散を生じて出射し、それ以外の入射角度での入射光に対しては光拡散を生じず単に透過させるような特性（異方性＝入射角度選択性）を持つ光拡散体を用いる技術が提案されている。
このような異方性拡散体を用いることによって、光が入射する際にのみ光拡散が生じ、液晶パネルで高精細な表示画像パターンが規定された後の出射時には光拡散が生じないようにすることができ、フロントディフューザに起因するボケの発生およびコントラストの低下を防止することができる。
【０００４】
【発明が解決しようとする課題】
しかしながら、上記のような光拡散体およびそれを適用した液晶表示装置では、以下のような問題がある。
異方性光拡散体は、主に回折散乱やレイリー散乱によって光を拡散するために、拡散光が黄色く着色する場合が多く、また、横方向からの入射光に対しての拡散性が小さくなるという問題がある。黄色味の生じる原因は、青成分（短波長）の光が大きく散乱し、補色関係にある黄色成分の光が余り散乱せずに観察者に至るためである。
従って、異方性光拡散体を用いた液晶表示装置もまた、黄色味を帯びたり像が暗くなってしまうという問題がある。
【０００５】
本発明はこのような事情に鑑みてなされたものであり、異方性を有する光拡散体の表面もしくはその近傍を、等方性拡散を生じる凹凸構造とすることによって光拡散特性を調整することによって、黄色味を帯びることなく、かつ、明るい表示画面を実現することが可能な光拡散体およびそれを適用した表示装置を提供することを目的とする。
尚、本明細書においては、拡散と散乱，拡散体と拡散板などは、同義語として混在して用いることもある。
【０００６】
【課題を解決するための手段】
請求項１に記載の発明は、
入射光の入射角度に依存して出射光の拡散性が変化する異方性を有する光拡散体において、入射光の入射角度に依存せずに出射光が拡散するように作用する凹凸構造を、前記光拡散体の少なくとも一方の表面に形成したことを特徴とする光拡散体である。
【０００７】
請求項２に記載の発明は、
前記凹凸構造が、光拡散体の出射光側に形成されることを特徴とする請求項１記載の光拡散体である。
【０００８】
請求項３に記載の発明は、
前記凹凸構造が、光拡散体の入射光側に形成されることを特徴とする請求項１記載の光拡散体である。
【０００９】
請求項４に記載の発明は、
前記凹凸構造が、ヘーズ値６０以下の拡散を示すことを特徴とする請求項１〜３の何れかに記載の光拡散体である。
【００１０】
請求項５に記載の発明は、
前記凹凸構造の深さが、５μｍ以上であることを特徴とする請求項１〜４の何れかに記載の光拡散体である。
【００１１】
請求項６に記載の発明は、
請求項１〜５の何れかに記載の光拡散体を、画像表示素子の観察側に配置したことを特徴とする表示装置である。
【００１２】
本発明の光拡散体を用いることによって、ボケを低減してコントラストを向上することができ、明るい表示画面を実現することができると共に、視覚される表示画像の色つきが低減される。
【００１３】
【発明の実施の形態】
以下、本発明の各実施の形態について図面を参照しながら説明する。
（第１の実施の形態）
本発明の第１の実施形態を図１から図６を用いて説明する。
図１は、本発明の第１の実施形態に係る光拡散体の構成の一例を示す断面図である。
すなわち、第１の実施形態に係る光拡散体は、異方性拡散体１の表面に凹凸構造２を設けた構成としたものである。
そして、同図に示すように、異方性拡散体１側から入射光を導き入れ、凹凸構造２側から出射光を取り出すようにしている。
【００１４】
尚、図２に示すように、異方性拡散体１自体の表面が凹凸構造である必要はなく、異方性拡散体１の表面に隣接して設けた表面層３に凹凸構造２を設けた構成として良い。
【００１５】
このように構成した光拡散体に光が入射した場合の拡散のメカニズムについて図３から図５を用いて説明する。
図３は、入射光の入射角度の違いによる出射光の散乱状態を示すもので、曲線Ｂは、表面の凹凸構造による散乱状態を示しており、入射光の入射角αに対する依存性が殆どなく、どの入射角αで入射してきた入射光に対してもほぼ同程度の拡散度（％）であるという特性を有する。
【００１６】
一方、曲線Ａは、異方性拡散体による散乱状態を示しており、特定の入射角α1で入射してきた入射光のみを強く拡散させ、その他の入射角で入射してきた入射光に対しては余り拡散させないという特性を有する。
【００１７】
ここで、異方性拡散体１の凹凸面５側から透過した光は、その凹凸面５で、弱い拡散を生じる。凹凸面５での拡散は、異方性のない（等方性の）拡散であり、この凹凸面５での拡散が強いと、この拡散体の異方性が損なわれるので、ヘーズ値で６０以下の弱い拡散を示す方が望ましい。
【００１８】
また、この凹凸面５での拡散は、凹凸形状に起因する屈折の作用が強く影響して光の方向が変化する方が望ましい。凹凸構造２が細かいと、レイリー散乱や回折散乱などを生じてしまい拡散光に着色が生じるためである。これらの凹凸の主構造は５μｍ以上であることが好ましく、より好ましくは、１０μｍ以上であることが望ましい。
【００１９】
従って、図４に示すように、入射光が、異方性拡散体が高い拡散度を示す入射角α1で異方性拡散体１に入射した場合には、異方性拡散体１は、この入射光を効率良く散乱する。そして、異方性拡散体１で散乱された入射光の各成分が、凹凸構造２に入射する。この凹凸構造２は、異方性拡散体１で散乱された入射光の各成分を更に、その入射角によらず、ほぼ同程度に拡散する。
【００２０】
尚、入射角αとは、図４に示すように、光拡散体の入射面（図４の場合、異方性拡散体が該当する。）の法線方向Ｐに対する角度のことである。
【００２１】
一方、図５に示すように、入射光が、異方性拡散体１が、ほとんど入射光を散乱しない入射角α2で異方性拡散体１に入射した場合には、異方性拡散体１は、この入射光を殆ど散乱しない。このため、異方性拡散体１に入射した入射光は、異方性拡散体１をほとんど拡散がないまま透過し、凹凸構造２に入射する。この凹凸構造２は、このようにして入射した入射光を、その入射角によらず、ほぼ同程度に拡散する。
尚、実際は、異方性拡散体１と凹凸構造２とが密着している構成であるが、拡散状態を分かりやすくするため、図４および図５ともに、異方性拡散体１と凹凸構造２とが、隔離しているように記載している。しかし、密着した場合、隔離した場合であっても、上述したようなメカニズムで入射光は、同様に拡散する。
【００２２】
すなわち、本実施形態に係る光拡散体は、図６のグラフ（Ａ＋Ｂ）に示すように、図３の曲線Ａに示す異方性拡散体１の特性と、図３の曲線Ｂに示す凹凸構造２の特性との中間的な特性を示す。つまり、特定の入射角α1に対して高い拡散度を有する異方性拡散体１の特性を備え、かつ、高拡散度と低拡散度との差が異方性拡散体の場合よりも小さい。
【００２３】
また、異方性拡散体１と凹凸構造２との両方を備えていることから、入射角αの全域に亘った拡散度が、異方性拡散体単体、または凹凸構造単体の拡散度よりもそれぞれ大きい。
上述するような特性は、異方性拡散体１の厚みと、凹凸構造２の凹凸の深さを変えることによって調節可能である。すなわち、異方性拡散体１の厚みを厚くし、凹凸構造２の凹凸の深さ浅くすることによって、光拡散体の特性が、より異方性拡散体１の特性に近いものとなり、逆に、凹凸構造２の凹凸を深くし、異方性拡散体１の厚みを薄くすることによって、光拡散体の特性が、より凹凸構造２の特性に近いものとなる。
【００２４】
具体的には、異方性拡散体１の厚みに対して、凹凸構造２の深さを、３０％以下とすると、異方性拡散体の傾向が強いものとなり、異方性拡散体１の厚みに対して、凹凸構造２の深さを、３０％以上にすると、拡散特性が凹凸形状に近いものとなる。
【００２５】
次に、以上のように構成した本実施態に係る光拡散板の作用について説明する。
図４に示すように、異方性拡散体１が高い拡散度を示す入射角α1で、異方性拡散体１に入射した入射光は、まず、異方性拡散体１において効率良く散乱され、この散乱された各成分は、凹凸構造２に入射する。そして、凹凸構造２において更に散乱されて、凹凸構造２から出射光（拡散光）として出射する。凹凸構造２は、入射した光をその入射角によらずほぼ同程度に拡散するので、凹凸構造２に入射した各成分は、効率よく拡散される。
すなわち、入射光が、異方性拡散体１が高い拡散度を示す入射角α1で、異方性拡散体１に入射した入射光は、効率よく拡散された後に、凹凸構造２から出射される。
【００２６】
一方、図５に示すように、入射光が、異方性拡散体１がほとんど入射光を散乱しない入射角α2で、異方性拡散体１に入射した場合には、入射光は異方性拡散体１においてほんの僅かな成分のみが散乱されて凹凸構造２に入射する。このようにして凹凸構造２に入射した成分は、凹凸構造２において散乱されて、凹凸構造２から出射光（拡散光）として出射する。
すなわち、入射光が、異方性拡散体が低い拡散度を示す入射角α2で、異方性拡散体１に入射した入射光は、凹凸構造２単体の場合よりも若干拡散された後に、凹凸構造２から出射される。
つまり、本実施の形態に係る光拡散体の特性は、図６の曲線（Ａ＋Ｂ）に示すように、図３の曲線Ａに示す異方性拡散体の特性と、図の曲線Ｂに示す凹凸構造の特性との中間的な特性となる。
すなわち、高い拡散度をもたらす入射角の範囲が拡大されつつ、高拡散度と低拡散度との差が異方性拡散体の場合よりも小さくなり、拡散の強さが緩和される。
【００２７】
また、異方性拡散体と凹凸構造との両方を備えていることから、入射角αの全域に亘った拡散度が、異方性拡散体単体、または凹凸構造単体の拡散度よりもそれぞれ大きくなる。
拡散の強さが強い異方性拡散体では、従来技術で説明したように、拡散された光が黄色く着色するという問題が発生するが、本実施の形態に係る光拡散体では、上述したように、レイリー散乱の強さが緩和されることによって、黄色味が低下した拡散光が得られる。また、入射角αの全域に亘って拡散度が高くなるので、横方向から鋭角的に入射した入射光も効率よく拡散される。
特定の入射角α1に対する拡散度が高いという異方性のメリットは、従来技術においても説明したように、このような光拡散体を液晶表示装置に適用した場合に、液晶表示におけるボケの低減、およびコントラストの向上をもたらすということである。本実施の形態に係る光拡散体は、このような異方性の特性を保ちつつ、拡散光の黄色味を低下し、かつ、横方向から鋭角的に入射した入射光であっても効率よく拡散することができる。
【００２８】
（第２の実施の形態）
本発明の第２の実施形態を図７から図１１を用いて説明する。
図７は、本発明の第２の実施形態に係る光拡散体の一例を示す断面構成図である。
すなわち、第２の実施形態に係る光拡散体は、凹凸構造１２が、異方性拡散体１１の表面に有する構成としたものである。そして、第１の実施形態の光拡散体とは逆に、凹凸構造１２側から入射光を導き入れ、異方性拡散体１１側から出射光を取り出すようにしている。
異方性拡散体１の凹凸面５から透過した光は、その凹凸面１５で、弱い拡散を生じる。この凹凸面１５での拡散は異方性のない拡散である。この凹凸面１５での拡散が強いと、この拡散体の異方性が損なわれる為、ヘーズ値で６０以下の弱い拡散を示す方が望ましい。
【００２９】
また、この凹凸面１５での拡散は、凹凸形状に起因する屈折の作用が強く影響して光の方向が変化する方が望ましい。凹凸構造１５が細かいと、レイリー散乱や回折散乱などを生じてしまい拡散光に着色が生じるためである。これらの凹凸構造１２の主構造は、５μｍ以上であることが好ましく、さらに好ましくは、１０μｍ以上である事が望ましい。
尚、異方性拡散体１１自体の表面が凹凸構造１２である必要はなく、図８に示すように、異方性拡散体１１の表面に隣接した表面層１３に凹凸構造１２が存在しても良い。
このように構成した光拡散体に光が入射した場合の拡散のメカニズムについて図９から図１１を用いて説明する。
【００３０】
既に図３で説明したように、曲線Ｂに示したように、凹凸構造は、入射光の入射角αに対する依存性がほとんどなく、どの入射角で入射してきた入射光に対してもほぼ同程度の拡散度（％）に拡散させるという特性を有する。一方、図３の曲線Ａに示すように、異方性拡散体は、特定の入射角で入射してきた入射光のみを強く拡散させ、その他の入射角で入射してきた入射光に対しては余り拡散させないという特性を有する。
従って、図９に示すように、入射光が、異方性拡散体１１が高い拡散度を示す入射角α1で凹凸構造１２に入射した場合には、まず凹凸構造１２が、この入射光を効率良く散乱する。そして、凹凸構造１２で散乱された入射光の各成分が異方性拡散体１１に入射すると、異方性拡散体１１は、凹凸構造１２で散乱された入射光の各成分のうち、入射角α1の近傍で異方性拡散体に入射した成分を効率よく拡散し、その他の入射角で入射した成分については、殆ど拡散することなく透過させる。
【００３１】
一方、図１０に示すように、入射光が、異方性拡散体１１が高い拡散度を示さない入射角α2で凹凸構造１２に入射した場合、まず凹凸構造１２は、この入射光を効率良く散乱する。そして、この場合も、凹凸構造１２で散乱された入射光の各成分が、異方性拡散体１１に入射するが、異方性拡散体１１は、凹凸構造１２で散乱された入射光の各成分のうち、入射角α1の近傍で異方性拡散体１１に入射した成分を効率よく拡散し、その他の入射角で入射した成分については、ほとんど拡散することなく透過させる。
【００３２】
なお、実際は、異方性拡散体１１と凹凸構造１２とが密着している構成であるが、拡散状態をわかりやすくするため、図９および図１０ともに、異方性拡散体１１と凹凸構造１２とが、隔離しているように記載している。しかし、密着した場合、隔離した場合であっても、上述したようなメカニズムで入射光は、同様に拡散する。
すなわち、本実施形態に係る光拡散体は、図１１の曲線（Ｂ＋Ａ）に示すように、図３の曲線Ａに示す異方性拡散体の特性と、図３の曲線Ｂに示す凹凸構造の特性との中間的な特性を示す。
つまり、特定の入射角α1に対して若干高い拡散度を有する異方性拡散体１１の特性を備え、かつ、高拡散度と低拡散度との差が異方性拡散体の場合よりも小さい。ただし、異方性拡散体１１には、凹凸構造１２によって等方散乱された光の各成分が入射するために、入射光の光拡散体への入射角αに対する拡散度の依存性は小さい。したがって、図６に示すような第１の実施形態の場合、拡散度特性に比べて、異方性拡散体の特性は緩和される。
【００３３】
また、異方性拡散体１１と凹凸構造１２との両方を備えていることから、入射角αの全域に亘った拡散度が、異方性拡散体単体、または凹凸構造単体の拡散度よりもそれぞれ大きい。
上述するような特性は、異方性拡散体１１と凹凸構造１２との厚みを変えることによって調節可能である。すなわち、異方性拡散体１１の厚みを厚くし凹凸構造１２の深さを浅くすることによって、光拡散体の特性が、より異方性拡散体の特性に近いものとなり、逆に、凹凸構造１２の深さを浅くし異方性拡散体１１の厚みを厚くすることによって、光拡散体の特性が、より凹凸構造の特性に近いものとなる。
【００３４】
次に、以上のように構成した本実施の形態に係る光拡散板の作用について説明する。
図９に示すように、異方性拡散体１１が高い拡散度を示す入射角α1で、凹凸構造に入射した入射光は、まず、凹凸構造１２によって効率良く散乱され、この散乱された光の各成分は、異方性拡散体１１に入射する。異方性拡散体１１では、凹凸構造１２で散乱された入射光の各成分のうち、入射角α1の近傍で異方性拡散体１１に入射した成分のみが効率よく散乱され、その他の入射角で入射した成分については、ほとんど拡散されず透過する。
【００３５】
同様に、図１０に示すように、異方性拡散体１１が低い拡散度を示す入射角α2で、凹凸構造１２に入射した入射光もまた、まず、凹凸構造１２によって効率良く散乱され、この散乱された光の各成分は、異方性拡散体１１に入射する。異方性拡散体１１では、凹凸構造１２で散乱された入射光の各成分のうち、入射角α1の近傍で異方性拡散体１１に入射した成分のみが効率よく散乱され、その他の入射角で入射した成分については、ほとんど拡散されず透過する。
すなわち、入射光が、異方性拡散体１１が高い拡散度を示す入射角α1で入射した場合であっても、また、異方性拡散体１１が低い拡散度を示す入射角α2で入射した場合であっても、凹凸構造１２によって拡散された入射光の成分のうち、入射角α1で異方性拡散体１１に入射する成分のみが異方性拡散体１１で拡散され、その他の入射角で異方性拡散体１１に入射した成分はほとんどがそのまま拡散されることなく透過される。
【００３６】
ただし、入射光が入射角α1で凹凸構造１２に入射した場合の方が、入射角α2で凹凸構造１２に入射した場合よりも、入射角α1で異方性拡散体１１に入射する成分の割合が大きいので、図１１に示すように、僅かに異方性拡散体の特性を示す。
つまり、本実施の形態に係る光拡散体の特性は、図１１の曲線（Ｂ＋Ａ）に示すように、図３の曲線Ｂに示す凹凸構造に僅かに異方性拡散体の特性を備えたものとなる。
【００３７】
このように、本実施の形態に係る光拡散体の異方性の特性は、図６の曲線（Ａ＋Ｂ）に示すような第１の実施の形態に係る光拡散体１よりも小さいので、用途に応じて第１の実施の形態に係る光拡散体と使い分けることができる。
例えば、同じ程度の異方性を得るためには、第１の実施の形態に係る光拡散体の方が、第２の実施の形態に係る光拡散体よりも、異方性拡散体の厚みを薄くできるため、黄色味が緩和されるという特徴を持つ。
【００３８】
この異方性拡散体の持つ特性の強弱は、凹凸構造と異方性拡散体との厚みを変化させることによって調節可能である。すなわち、異方性拡散体の持つ特性を強調したい場合には、異方性拡散体の厚みを厚くすることによって、また、異方性拡散体の持つ特性を強調したくない場合、すなわち、より凹凸構造のもつ特性にその特性を近づけたい場合には、凹凸構造の凹凸を深くすることによって実現される。
第１および第２の実施の形態で説明したような凹凸構造と異方性拡散体とを少なくとも備えた光拡散板を用いることによって、所望の拡散度特性を実現するような拡散板を製作することが可能となる。すなわち、凹凸構造の拡散度特性に対して異方性拡散体の持つ特性を強調したい場合には、本実施の形態に示す光拡散体のように、入射光の入射側に凹凸構造を配置すれば良い。
【００３９】
一方、異方性拡散体の持つ拡散度特性を緩和したい場合には、第１の実施の形態に示す光拡散体のように、入射光の入射側に異方性拡散体を配置すれば良い。更に、各々の光拡散体において凹凸構造の深さを深くすることによって、より異方性拡散体の持つ特性を緩和することができ、また、異方性拡散体の厚みを厚くすることによってより異方性拡散体の持つ特性を強調することができる。
【００４０】
なお、本発明は上記実施形態に限定されるものではなく、次のようにしても同様に実施できるものである。
すなわち、第１および第２の実施形態では、少なくとも異方性拡散体と凹凸構造とを組み合わせてなる光拡散体について説明したが、光入射角αに対する拡散度特性として、所望の拡散度特性を実現するために、１つの異方性拡散体の両側を凹凸構造とすることによって光拡散体を構成するようにしても良い。このように複数の異方性拡散体や凹凸構造を適宜組み合わせることによって構成される光拡散体も、本発明の一変形例として本発明の技術的範囲に属するものと了解される。
【００４１】
（第３の実施の形態）
本発明の第３の実施形態を図１２から図１３を用いて説明する。
本発明の第３の実施形態では、第１の実施の形態に係る光拡散体、および第２の実施の形態に係る光拡散体を適用した液晶表示装置について説明する。
すなわち、図１２及び図１３は、それぞれ、第１の実施形態に係る光拡散体（図１、図２参照）、および第２の実施形態に係る光拡散体（図７、図８参照）を適用した液晶表示装置の層構成の一例を示す断面図である。
これらの液晶表示装置は、偏光板２０と、粘着材２１と、位相差板２２と、光拡散体２３と、ガラス２４と、透明電極２５と、液晶層２６と、反射電極２７とを積層して成る。
図１２、および図１３における光拡散体２３は、第１の実施形態に係る光拡散体（図１、図２参照）、または第２の実施形態に係る光拡散体（図７、図８参照）に相当する。
図１２に示す液晶表示装置は、ガラス２４の上部に光拡散体２３の凹凸面を、粘着材２１を介して貼りつけた例である。更にこの光拡散体２３の上部には、粘着材を２１介して位相差板２２を配置している。
【００４２】
図１３に示す液晶表示装置は、入射光側に光拡散体３３の凹凸面を配置した例である。
次に、以上のように構成した本実施形態に係る液晶表示装置の作用について説明する。
拡散の強さが強い異方性拡散体では、拡散された光が黄色く着色するという問題が発生するが、第１および第２の実施の形態に係る光拡散体では、拡散の強さを緩和することによって、黄色味を低下させた拡散光が得られる。また、入射角αの全域に亘った拡散度も高くなるので、横方向から鋭角的に入射した入射光も効率よく拡散される。
従って、このような効果を奏する光拡散体を適用した本実施形態に係る液晶表示装置は、液晶表示におけるボケが低減されるとともに、コントラストの向上がもたらされる。また、横方向から鋭角的に入射した入射光であっても効率よく拡散されるので、明るい表示画面が実現される。
【００４３】
上述したように、本実施形態に係る液晶表示装置においては、上記のような作用により、液晶表示におけるボケを低減し、コントラストを向上することができる。更に、明るい表示画面を実現することができる。
【００４４】
本実施形態に係る液晶表示装置においては、上記のような作用により、液晶表示装置におけるボケを軽減し、コントラストを向上させることができ、更に、明るい画像表示を実現させることができる。また、散乱によって、液晶表示装置の視域を拡大する効果も持つ。
本実施形態では、光拡散体の有する凹凸構造が、液晶パネルの前面偏光板より背面側（液晶層側）に配置されている場合について例示したが、前記凹凸構造は偏光板よりも前面側に配置されていても良い。凹凸構造が、液晶パネルの前面偏光板より背面側にあった場合、液晶ディスプレイ前面に汚れがつきにくく、掃除をしやすいという利点があり、光拡散体には紫外線が直接当たらないため、耐環境的な利点も有することになる。
【００４５】
対して、上記凹凸構造が、液晶パネルの前面偏光板より前面側にあった場合、凹凸構造との界面が粘着剤である必要がなく、凹凸構造と空気層が接することになる。
一般に、ガラスや樹脂の屈折率が１．５前後であり、空気の屈折率が１．０前後であることから、粘着剤と凹凸構造との屈折率差よりも、空気層と凹凸構造との屈折率差の方が大きくなり、微細な凹凸構造によって高い拡散が得られると共に、凹凸構造とは異なった屈折率を持つ粘着剤を選択する必要がないため、粘着剤の選択肢の範囲が広がる。
さらには、表示装置前面での表面反射成分も拡散により減少する効果も生じる。
以上、本発明の好適な実施形態について、添付図面を参照しながら説明したが、本発明はかかる実施形態の構成に限定されるものではない。
【００４６】
【発明の効果】
以上説明したように、本発明によれば、等方性の光拡散板と異方性の光拡散板とを光学的に重ね合わせることによって光拡散特性を調整することができる。
以上により、黄色味を帯びることなく、かつ、明るい表示画面を実現することが可能な光拡散体、およびその光拡散体を適用した液晶表示装置を実現することができる。
【００４７】
【図面の簡単な説明】
【図１】第１の実施の形態に係る光拡散体の一例を示す断面図。
【図２】第１の実施の形態に係る光拡散体の変形例を示す断面図。
【図３】等方性拡散体および異方性拡散体における光入射角と拡散度との関係を示す説明図。
【図４】第１の実施の形態に係る光拡散体における光拡散メカニズムを説明する説明図。
【図５】第１の実施の形態に係る光拡散体における光拡散メカニズムを説明する説明図。
【図６】第１の実施の形態に係る光拡散体における光入射角と拡散度との関係を示す説明図。
【図７】第２の実施の形態に係る光拡散体の一例を示す断面図。
【図８】第２の実施の形態に係る光拡散体の変形例を示す断面図。
【図９】第２の実施の形態に係る光拡散体における光拡散メカニズムを説明する説明図。
【図１０】第２の実施の形態に係る光拡散体における光拡散メカニズムを説明する説明図。
【図１１】第２の実施の形態に係る光拡散体における光入射角と拡散度との関係を示す説明図。
【図１２】第３の実施の形態に係る液晶表示装置の層構成の一例を示す断面図。
【図１３】第３の実施の形態に係る液晶表示装置の層構成の一例を示す断面図。
【符号の説明】
１，１１，２３…異方性散乱体
２，１２…凹凸構造
３，１３…表面層
５，１５…凹凸面
２０…偏光板
２１…粘着剤
２２…位相差板
【図１】
0003912112.tif 000002
【図２】
0003912112.tif 000003
【図３】
0003912112.tif 000004
【図４】
0003912112.tif 000005
【図５】
0003912112.tif 000006
【図６】
0003912112.tif 000007
【図７】
0003912112.tif 000008
【図８】
0003912112.tif 000009
【図９】
0003912112.tif 000010
【図１０】
0003912112.tif 000011
【図１１】
0003912112.tif 000012
【図１２】
0003912112.tif 000013
【図１３】
0003912112.tif 000014